(57)【要約】【解決手段】  焼入れ前の段階で生け２を形成し、次の工程で前記生け２の先端を釣針１の外表面に接地するように押し下げる。そして、生け２の部分を側面から見て外突弧状に隆起させ、しかる後、焼入れする。生けの先端2aのみを釣針１の外表面に接地させ、その他の部分では釣針１の外表面との間に隙間５が形成されるようにする。【効果】  釣った魚が簡単にバレない（はずれ落ちない）ようにするための隆起物４が形成された釣針１を、極めて簡単かつ安価に提供することができる。特に、釣った魚が簡単にバレない（はずれ落ちない）ようにするのに最適な高さの隆起物４が形成された釣針１を、極めて簡単かつ安価に提供することができる。【選択図】  図１
2005151892.tif 000002
【特許請求の範囲】
【請求項１】
焼入れ前の段階で「生け」を形成し、次の工程で前記「生け」の先端を釣針の外表面に接地するように押し下げて「生け」の部分を側面から見て外突弧状に隆起させ、しかる後、焼入れすることを特徴とする釣針の製造方法。
【請求項２】
「生け」の先端のみを釣針の外表面に接地させ、その他の部分では釣針の外表面との間に隙間が形成されていることを特徴とする請求項１記載の釣針の製造方法。
【請求項３】
請求項１記載の製造方法により製造されたことを特徴とする釣針。
【請求項４】
「生け」の先端のみが釣針の外表面に接地されており、その他の部分では釣針の外表面との間に隙間が形成されていることを特徴とする請求項３記載の釣針。
【発明の詳細な説明】
【技術分野】
【０００１】
本発明は、釣針の先端内側に焼入れ前の段階で形成した生け（モドシ、カエリともいう）を利用してその部分を側面から見て外突弧状に隆起させ、釣った魚が簡単にバレない（はずれ落ちない）ようにした釣針の製造方法とその方法により製造された釣針に関する。
【背景技術】
【０００２】
従来の釣針には、先端内側を切り起して鋭利な生け（モドシ、カエリともいう）を形成したものと、先端内側をコブ状に隆起させてカエリとしたものとがある（例えば、特許文献１参照）。
【特許文献１】特開平７−７５４６５号公報
【０００３】
前者の場合には、釣針に取り付けた餌が外れないようにするためには有効であるが、魚がかかった場合に鋭利な生けの先端部が魚の肉に食い込み、無理に外そうとすると肉を引きちぎり、傷を大きくする。特に、釣った魚をリリースしてやる場合には、出来るだけ魚を傷付けないようにする必要がある。また、鋭利な「生け」は切り起こしによって形成されるから、その基部付近に鋭い溝が形成される場合や、微細なクラックが見られる場合があり、魚から釣針を外す際や魚釣り中に魚が暴れた際に「生け」の基部に過大な荷重が加わり、「生け」を折損することがある。
【０００４】
これらの欠点を解消するために開発されたのが後者、すなわち、先端内側をコブ状に隆起させてカエリとした釣針である。この釣針であれば、魚を傷付けることも少なく、「生け」の損傷も発生しない。
【発明の開示】
【発明が解決しようとする課題】
【０００５】
しかしながら、コブ状の「生け」では、製作が非常に困難であるという致命的欠点を有している。また、単なるコブ状の隆起では、取り付けた餌が外れやすいという欠点もある。そこで、従来のコブ状の隆起に代わる隆起物を、釣針の先端内側に極めて簡単な方法で形成することができないかについて鋭意研究を重ねた結果、本発明を完成させるに至った。
【課題を解決するための手段】
【０００６】
すなわち、本発明においては、焼入れ前の段階で「生け」を形成し、次の工程で前記「生け」の先端を釣針の外表面に接地するように押し下げて「生け」の部分を側面から見て外突弧状に隆起させ、しかる後、焼入れする。
【０００７】
この場合において、「生け」の先端のみを釣針の外表面に接地させ、その他の部分では釣針の外表面との間に隙間が形成されていることが望ましい。
【０００８】
また、本発明における釣針は、焼入れ前の段階で「生け」を形成し、次の工程で前記「生け」の先端を釣針の外表面に接地するように押し下げて「生け」の部分を側面から見て外突弧状に隆起させ、しかる後、焼入れすることにより製造される。
【０００９】
この場合において、「生け」の先端のみが釣針の外表面に接地されており、その他の部分では釣針の外表面との間に隙間が形成されていることが望ましい。
【発明の効果】
【００１０】
請求項１記載の発明によれば、釣針の先端内側に、釣った魚が簡単にバレない（はずれ落ちない）ようにするための隆起物を、極めて簡単な方法で形成することができる。特に、「生け」ならびに隆起物は、釣針本体が柔らかい焼入れ前の段階において形成されるので、それらの加工を極めて容易に行うことができる。
【００１１】
請求項２記載の発明によれば、釣った魚が簡単にバレない（はずれ落ちない）ようにするのに最適な高さの隆起物を、極めて簡単な方法で形成することができる。
【００１２】
請求項３記載の発明によれば、釣った魚が簡単にバレない（はずれ落ちない）ようにするための隆起物が形成された釣針を、極めて簡単かつ安価に提供することができる。また、請求項３記載の釣針を用いた場合には、釣った魚体が傷付くことが少なく、キャッチ・アンド・リリースの時代に適している。
【００１３】
請求項４記載の発明によれば、釣った魚が簡単にバレない（はずれ落ちない）ようにするのに最適な高さの隆起物が形成された釣針を、極めて簡単かつ安価に提供することができる。また、請求項４記載の釣針を用いた場合には、釣った魚が特にバレない（はずれ落ちない）という利点を有する。
【発明を実施するための最良の形態】
【００１４】
以下、本発明を実施するための最良の形態を詳細に形成する。図１(a)に、釣針本体１が柔らかい焼入れ前の段階で生け２を形成した状態を示す。
この生け２は、従来の場合と同様に、鋭利な刃先を有する生け形成用の治具（図示しない）を釣針本体１の先端内側において針先３に向けて移動させ、釣針本体１の表面を削り込んで鋭利に切り起すことにより形成することができる。そして、次の工程で図１(b)に示すように前記生け２の先端2aを釣針１の外表面に接地するように押し下げ、「生け」の部分を側面から見て外突弧状に隆起させる。この場合の隆起物４は、釣った魚が簡単にバレない（はずれ落ちない）ようにするためのものである。
【００１５】
この場合において、図１(c)に拡大して示すように、生け２の先端2aのみを釣針１の外表面に接地させ、その他の部分では釣針１の外表面との間に隙間５が形成されるようにする。この隙間５が形成されるようにすることで、隆起物４は釣った魚が簡単にバレない（はずれ落ちない）ようにするのに最適な高さを有するものとなる。しかる後、釣針本体１を焼入れして、釣針としての硬さを備えたものとする。
【００１６】
このような工程を経るだけで、釣針１の先端内側に、釣った魚が簡単にバレない（はずれ落ちない）ようにするための隆起物４を、極めて簡単な方法で形成することができる。そして、生け２ならびに隆起物４は、釣針本体１が柔らかい焼入れ前の段階において形成されるので、それらの加工を極めて容易に行うことができる。特に、釣った魚が簡単にバレない（はずれ落ちない）ようにするのに最適な高さの隆起物４を、極めて簡単な方法で形成することができる。
【００１７】
隆起物４を形成するに当っては、図１(c)に拡大して示すように、生け２の先端2aのみを釣針１の外表面に接地させ、その他の部分では釣針１の外表面との間に隙間５が形成されるようにする。この隙間５が形成されるようにすることで、隆起物４は釣った魚が簡単にバレない（はずれ落ちない）ようにするのに最適な高さを有するものとなる。
【００１８】
これに対して、図２に示すように、生け２全体を釣針１の外表面に接地させた場合には、すなわち、前記隙間５が形成されないように押し下げた場合には、隆起物４’が前記隆起物４に比べて低くなり、釣った魚が簡単にバレない（はずれ落ちない）ようにするのに最適な高さを有するものとならないので、好ましくない。
【００１９】
一方、本発明による釣針１は、上述した方法により極めて簡単かつ安価に製造することができる。すなわち、釣った魚が簡単にバレない（はずれ落ちない）ようにするための隆起物４が形成された釣針１を、極めて簡単かつ安価に提供することができる。また、本発明による釣針１を用いた場合には、釣った魚体が傷付くことが少なく、キャッチ・アンド・リリースの時代に適している。特に、釣った魚が簡単にバレない（はずれ落ちない）ようにするのに最適な高さの隆起物が形成された釣針を、極めて簡単かつ安価に提供することができる。そして、この釣針を用いた場合には、釣った魚が特にバレない（はずれ落ちない）という利点を有する。
【００２０】
釣針１の素材としては、ピアノ線、ハイス、高炭素鋼など硬度の高い金属部材が用いられる。以下、この金属部材から釣針１を製造するための一般的な方法を、簡単に説明する。まず、この金属部材を所定の長さに切断し、その一端を研磨によって尖鋭にする。次いで、他端をプレスしてちもと６を形成する。直線状のこの素材を台（図示しない）上にセットし、押圧固定用の治具（図示しない）により釣針本体１の針先部分を押圧固定する。かくして、釣針本体１はひらがなの「し」のように屈曲せしめられる。そして、上述したような方法により、その先端内側にいけ２を形成する。
【００２１】
この生け２を形成するまでの工程は従来の場合と何ら異なるところはないが、この生け２を形成した後の工程が本発明の特徴とするところである（その特徴については、すでに説明済）。そして、上述した方法により製造された釣針１を焼入れして、釣針としての硬さを備えたものとする。このようにして、本発明による釣針１を極めて簡単かつ安価に製造することができる。
【図面の簡単な説明】
【００２２】
【図１】本発明の製造方法を説明するための概略図で、(a)は、釣針本体が柔らかい焼入れ前の段階で「生け」を形成した状態を、(b)は、この「生け」の先端を釣針の外表面に接地するように押し下げ、「生け」の部分を側面から見て外突弧状に隆起させた状態を、(c)は隆起させた状態を拡大して示す。
【図２】「生け」を形成するに当って、不都合な状態を説明するための拡大図である。
【符号の説明】
【００２３】
１…釣針（釣針本体）、２…生け、2a…生けの先端、３…針先、４…隆起物、５…隙間、６…ちもと。
【図１】
2005151892.tif 000003
【図２】
2005151892.tif 000004